(57)【要約】本開示は、番組進行同期情報サービスを容易に実現することができる供給装置、供給方法、受信装置、受信方法、プログラム、および放送システムに関する。本開示の放送システムは、供給装置が、放送網を介して前記受信装置に番組を放送する放送部と、前記番組の進行に対する同期期間を示すセグメント有効期間、および進行中の前記番組に関連するメタデータからなるセグメントデータを少なくとも１つ含むセグメントデータシーケンスを前記受信装置に供給する供給部とを備え、受信装置が、前記供給装置から放送網を介して放送された番組を受信する受信部と、前記供給装置から供給される前記セグメントデータシーケンスを取得する取得部と、取得された前記セグメントデータシーケンスに基づき、前記番組の進行に同期して、前記番組に関連する情報をユーザに提示する提示部とを備える。本開示は、あらゆる放送システムに適用することができる。
2012144379.tif 000002
【特許請求の範囲】
【請求項１】
放送網を介して受信装置に番組を放送する放送部と、
前記番組の進行に対する同期期間を示すセグメント有効期間、および進行中の前記番組に関連するメタデータからなるセグメントデータを少なくとも１つ含むセグメントデータシーケンスを前記受信装置に供給する供給部と
を備える供給装置。
【請求項２】
前記供給部は、前記受信装置からの要求に応じ、ネットワークを介して前記セグメントデータシーケンスを前記受信装置に供給する
請求項１に記載の供給装置。
【請求項３】
前記放送部は、前記セグメントデータシーケンスの供給元となる前記供給部のURLを含むアプリケーション制御記述子も放送し、
前記供給部は、前記アプリケーション制御記述子に基づく前記受信装置からの要求に応じ、ネットワークを介して前記セグメントデータシーケンスを前記受信装置に供給する
請求項２に記載の供給装置。
【請求項４】
進行中の前記番組に関連する前記メタデータは、同期される番組に登場する人物、物、場所、またはシーン全体を注目対象とし、前記注目対象についてのタイトル名、説明情報、リンク情報、キーワード、位置情報、またはポインタ情報のうちの少なくとも一つを含む
請求項２に記載の供給装置。
【請求項５】
前記セグメントデータの前記セグメント有効期間は、対応する番組の進行位置を示すPTSを用いて記述されている
請求項２に記載の供給装置。
【請求項６】
供給装置による供給方法において、
前記供給装置による、
放送網を介して受信装置に番組を放送する放送ステップと、
前記番組の進行に対する同期期間を示すセグメント有効期間、および進行中の前記番組に関連するメタデータからなるセグメントデータを少なくとも１つ含むセグメントデータシーケンスを前記受信装置に供給する供給ステップと
を含む供給方法。
【請求項７】
供給装置の制御用のプログラムであって、
放送網を介して受信装置に番組を放送する放送ステップと、
前記番組の進行に対する同期期間を示すセグメント有効期間、および進行中の前記番組に関連するメタデータからなるセグメントデータを少なくとも１つ含むセグメントデータシーケンスを前記受信装置に供給する供給ステップと
を含む処理を供給装置のコンピュータに実行させるプログラム。
【請求項８】
放送網を介して放送された番組を受信する受信部と、
前記番組の進行に対する同期期間を示すセグメント有効期間、および進行中の前記番組に関連するメタデータからなるセグメントデータを少なくとも１つ含むセグメントデータシーケンスを取得する取得部と、
取得された前記セグメントデータシーケンスに基づき、前記番組の進行に同期して、前記番組に関連する情報をユーザに提示する提示部と
を備える受信装置。
【請求項９】
前記受信部は、前記セグメントデータシーケンスの供給元となる供給部のURLを含むアプリケーション制御記述子も受信し、
前記取得部は、前記アプリケーション制御記述子に基づき、ネットワークを介して前記供給部に前記セグメントデータシーケンスの供給を要求する
請求項８に記載の受信装置。
【請求項１０】
放送網を介して放送された番組を受信する受信装置の受信方法において、
前記受信装置による、
前記番組の進行に対する同期期間を示すセグメント有効期間、および進行中の前記番組に関連するメタデータからなるセグメントデータを少なくとも１つ含むセグメントデータシーケンスを取得する取得ステップと、
取得された前記セグメントデータシーケンスに基づき、前記番組の進行に同期して、前記番組に関連する情報をユーザに提示する提示ステップと
を含む受信方法。
【請求項１１】
放送網を介して放送された番組を受信する受信装置の制御用のプログラムであって、
前記番組の進行に対する同期期間を示すセグメント有効期間、および進行中の前記番組に関連するメタデータからなるセグメントデータを少なくとも１つ含むセグメントデータシーケンスを取得する取得ステップと、
取得された前記セグメントデータシーケンスに基づき、前記番組の進行に同期して、前記番組に関連する情報をユーザに提示する提示ステップと
を含む処理を受信装置のコンピュータに実行させるプログラム。
【請求項１２】
供給装置と受信装置からなる放送システムにおいて、
前記供給装置は、
放送網を介して前記受信装置に番組を放送する放送部と、
前記番組の進行に対する同期期間を示すセグメント有効期間、および進行中の前記番組に関連するメタデータからなるセグメントデータを少なくとも１つ含むセグメントデータシーケンスを前記受信装置に供給する供給部と
を備え、
前記受信装置は、
前記供給装置から放送網を介して放送された番組を受信する受信部と、
前記供給装置から供給される前記セグメントデータシーケンスを取得する取得部と、
取得された前記セグメントデータシーケンスに基づき、前記番組の進行に同期して、前記番組に関連する情報をユーザに提示する提示部と
を備える
放送システム。
【発明の詳細な説明】
【技術分野】
【０００１】
本開示は、供給装置、供給方法、受信装置、受信方法、プログラム、および放送システムに関し、特に、デジタルテレビジョン放送の番組の進行に同期させたデータ放送を実施する場合に用いて好適な供給装置、供給方法、受信装置、受信方法、プログラム、および放送システムに関する。
【背景技術】
【０００２】
デジタルテレビジョン放送においては、テレビジョン番組の放送サービスだけでなく、いわゆるデータ放送と称するサービスも実現されている（例えば、特許文献１参照）。【０００３】
従来のデータ放送は、例えば、ニュース、天気予報、交通情報などの視聴中のテレビジョン番組に直接関連しない情報を表示したり、視聴中のテレビジョン番組に関連する情報（出演者、ストーリ）を表示したりする用途に利用されている。【０００４】
さらに、従来のデータ放送では、視聴中のテレビジョン番組の進行に同期させた情報（今、画面に映っている人、物、店などの情報等）を表示することが実施頻度は低いながらも実現されている。【０００５】
そして、今後のデータ放送に対しては、視聴中のテレビジョン番組の進行に同期させた情報を表示するサービス（以下、番組進行同期情報サービスと称する）の充実（実施頻度の向上）が要求されている。
【先行技術文献】
【特許文献】
【０００６】
【特許文献１】特開２００６−５０２３７号公報
【発明の概要】
【発明が解決しようとする課題】
【０００７】
上述したように、従来のデータ放送の仕組みを用いて、番組進行同期情報サービスを実現することは可能である。しかしながら、その実現のためには、テレビジョン番組の作成と、データ放送のデータの作成とを蜜に連携させる必要があり、これは運用上、非常に手間を要する作業であった。【０００８】
本開示はこのような状況に鑑みてなされたものであり、番組進行同期情報サービスを容易に実現できるようにするものである。
【課題を解決するための手段】
【０００９】
本開示の第１の側面である供給装置は、放送網を介して受信装置に番組を放送する放送部と、前記番組の進行に対する同期期間を示すセグメント有効期間、および進行中の前記番組に関連するメタデータからなるセグメントデータを少なくとも１つ含むセグメントデータシーケンスを前記受信装置に供給する供給部とを備える。【００１０】
前記供給部は、前記受信装置からの要求に応じ、ネットワークを介して前記セグメントデータシーケンスを前記受信装置に供給することができる。【００１１】
前記放送部は、前記セグメントデータシーケンスの供給元となる前記供給部のURLを含むアプリケーション制御記述子も放送し、前記供給部は、前記アプリケーション制御記述子に基づく前記受信装置からの要求に応じ、ネットワークを介して前記セグメントデータシーケンスを前記受信装置に供給することができる。【００１２】
進行中の前記番組に関連する前記メタデータは、同期される番組に登場する人物、物、場所、またはシーン全体を注目対象とし、前記注目対象についてのタイトル名、説明情報、リンク情報、キーワード、位置情報、またはポインタ情報のうちの少なくとも一つを含むことができる。【００１３】
前記セグメントデータの前記セグメント有効期間は、対応する番組の進行位置を示すPTSを用いて記述することができる。【００１４】
本開示の第１の側面である供給方法は、供給装置による供給方法において、前記供給装置による、放送網を介して受信装置に番組を放送する放送ステップと、前記番組の進行に対する同期期間を示すセグメント有効期間、および進行中の前記番組に関連するメタデータからなるセグメントデータを少なくとも１つ含むセグメントデータシーケンスを前記受信装置に供給する供給ステップとを含む。【００１５】
本開示の第１の側面であるプログラムは、供給装置の制御用のプログラムであって、放送網を介して受信装置に番組を放送する放送ステップと、前記番組の進行に対する同期期間を示すセグメント有効期間、および進行中の前記番組に関連するメタデータからなるセグメントデータを少なくとも１つ含むセグメントデータシーケンスを前記受信装置に供給する供給ステップとを含む処理を供給装置のコンピュータに実行させる。【００１６】
本開示の第１の側面においては、放送網を介して受信装置に番組が放送され、番組の進行に対する同期期間を示すセグメント有効期間、および進行中の前記番組に関連するメタデータからなるセグメントデータを少なくとも１つ含むセグメントデータシーケンスが受信装置に供給される。【００１７】
本開示の第２の側面である受信装置は、放送網を介して放送された番組を受信する受信部と、前記番組の進行に対する同期期間を示すセグメント有効期間、および進行中の前記番組に関連するメタデータからなるセグメントデータを少なくとも１つ含むセグメントデータシーケンスを取得する取得部と、取得された前記セグメントデータシーケンスに基づき、前記番組の進行に同期して、前記番組に関連する情報をユーザに提示する提示部とを備える。【００１８】
前記受信部は、前記セグメントデータシーケンスの供給元となる供給部のURLを含むアプリケーション制御記述子も受信し、前記取得部は、前記アプリケーション制御記述子に基づき、ネットワークを介して前記供給部に前記セグメントデータシーケンスの供給を要求することができる。【００１９】
本開示の第２の側面である受信方法は、放送網を介して放送された番組を受信する受信装置の受信方法において、前記受信装置による、前記番組の進行に対する同期期間を示すセグメント有効期間、および進行中の前記番組に関連するメタデータからなるセグメントデータを少なくとも１つ含むセグメントデータシーケンスを取得する取得ステップと、取得された前記セグメントデータシーケンスに基づき、前記番組の進行に同期して、前記番組に関連する情報をユーザに提示する提示ステップとを含む。【００２０】
本開示の第２の側面であるプログラムは、放送網を介して放送された番組を受信する受信装置の制御用のプログラムであって、前記番組の進行に対する同期期間を示すセグメント有効期間、および進行中の前記番組に関連するメタデータからなるセグメントデータを少なくとも１つ含むセグメントデータシーケンスを取得する取得ステップと、取得された前記セグメントデータシーケンスに基づき、前記番組の進行に同期して、前記番組に関連する情報をユーザに提示する提示ステップとを含む処理を受信装置のコンピュータに実行させる。【００２１】
本開示の第２の側面においては、番組の進行に対する同期期間を示すセグメント有効期間、および進行中の前記番組に関連するメタデータからなるセグメントデータを少なくとも１つ含むセグメントデータシーケンスが取得され、取得された前記セグメントデータシーケンスに基づき、前記番組の進行に同期して、前記番組に関連する情報がユーザに提示される。【００２２】
本開示の第３の側面である放送システムは、供給装置と受信装置からなる放送システムにおいて、前記供給装置が、放送網を介して前記受信装置に番組を放送する放送部と、前記番組の進行に対する同期期間を示すセグメント有効期間、および進行中の前記番組に関連するメタデータからなるセグメントデータを少なくとも１つ含むセグメントデータシーケンスを前記受信装置に供給する供給部とを備え、前記受信装置が、前記供給装置から放送網を介して放送された番組を受信する受信部と、前記供給装置から供給される前記セグメントデータシーケンスを取得する取得部と、取得された前記セグメントデータシーケンスに基づき、前記番組の進行に同期して、前記番組に関連する情報をユーザに提示する提示部とを備える。【００２３】
本開示の第３の側面においては、供給装置により、放送網を介して受信装置に番組が放送され、番組の進行に対する同期期間を示すセグメント有効期間、および進行中の前記番組に関連するメタデータからなるセグメントデータを少なくとも１つ含むセグメントデータシーケンスが受信装置に供給される。また、受信装置により、供給装置から供給された前記セグメントデータシーケンスが取得され、取得された前記セグメントデータシーケンスに基づき、前記番組の進行に同期して、前記番組に関連する情報がユーザに提示される。
【発明の効果】
【００２４】
本開示の第１の側面によれば、番組進行同期情報サービスを容易に実現するためのセグメントデータシーケンスを受信装置に供給することができる。【００２５】
本開示の第２の側面によれば、供給されたセグメントデータシーケンスに基づいて、番組進行同期情報サービスをユーザに提供することができる。【００２６】
本開示の第３の側面によれば、番組進行同期情報サービスを容易に実現できる。
【図面の簡単な説明】
【００２７】
【図１】本開示を適用した放送システムの構成例を示すブロック図である。
【図２】本開示を適用した受信装置の構成例を示すブロック図である。
【図３】受信装置の解析部に含まれる機能ブロックを示す図である。
【図４】情報端末の構成例を示すブロック図である。
【図５】アプリケーション制御記述子のシンタックスの一例を示す図である。
【図６】アプリケーション制御データの構造を示す図である。
【図７】セグメントデータシーケンスのデータ構造を示す図である。
【図８】メタデータのデータ構造を示す図である。
【図９】関連メタデータのデータ構造を示す図である。
【図１０】関連メタデータに含まれる説明情報の要素を示す図である。
【図１１】関連メタデータに含まれるリンク情報の要素を示す図である。
【図１２】関連メタデータに含まれるキーワードの要素を示す図である。
【図１３】関連メタデータに含まれる位置情報の要素を示す図である。
【図１４】関連メタデータに含まれるポインタ位置の要素を示す図である。
【図１５】受信装置の処理を説明するフローチャートである。
【図１６】レジデントアプリ依存処理を説明するフローチャートである。
【図１７】レジデントアプリ依存処理による画面の表示例を示す図である。
【図１８】レジデントアプリ依存処理による画面の表示例を示す図である。
【図１９】レジデントアプリ依存処理による画面の表示例を示す図である。
【図２０】レジデントアプリ依存処理による画面の表示例を示す図である。
【図２１】レジデントアプリ依存処理による画面の表示例を示す図である。
【図２２】図１９に対応するセグメントデータシーケンスの一例を示す図である。
【図２３】レジデントアプリ依存処理による画面の表示例を示す図である。
【図２４】図２３に対応するセグメントデータシーケンスの一例を示す図である。
【図２５】コンピュータの構成例を示すブロック図である。
【発明を実施するための形態】
【００２８】
以下、本開示を実施するための最良の形態（以下、実施の形態と称する）について、図面を参照しながら詳細に説明する。
【００２９】
＜１．実施の形態＞
［放送システムの構成例について］
図１は、実施の形態である放送システムを示している。この放送システム１０は、放送側に設けられる放送装置２０、セグメントデータシーケンスサーバ２１、およびコンテンツサーバ２２、並びに、受信側に設けられる受信装置３０および情報端末４０から構成される。
【００３０】
この放送システム１０は、テレビジョン番組の進行に同期させた情報を、受信装置３０のユーザに提示する番組進行同期情報サービスを実現するものである。ただし、受信装置３０における番組進行同期情報サービスは、受信装置３０に予め組み込まれているレジデントアプリケーション（以下、レジデントアプリと略記する）に依存する。従って、各受信装置３０における番組進行同期情報サービスとしての情報の提示の仕方については全ての受信装置３０で必ずしも共通ではない。
【００３１】
放送側の放送装置２０は、放送網１を介してデジタル放送信号を放送する。なお、放送網１は、地上デジタル放送網、衛星放送網、ケーブルテレビ網などが想定される。放送されるデジタル放送信号には、番組の映像、音声、字幕などの信号が含まれる。
【００３２】
さらにデジタル放送信号の所定の位置には、番組進行同期情報サービスを実現する際に受信装置３０を制御するためのアプリケーション制御記述子が含まれている。なお、アプリケーション制御記述子は、それぞれ同一内容のものが所定の期間繰り返し放送される。これにより、受信装置３０において、アプリケーション制御記述子を受信し損ねたために番組進行同期情報サービスが実現できない事態の発生を抑止できる。
【００３３】
アプリケーション制御記述子は、番組進行同期情報サービスが放送サービス（いわゆる放送チャンネルのこと）単位で実行される場合には、デジタル放送信号に含まれるSDT(service description table)に含めて放送される。番組進行同期情報サービスが番組単位で実行される場合には、デジタル放送信号に含まれるEIT(event information table)に含めて放送される。なお、この場合、アプリケーション制御記述子を番組のPMT(program map table)に含めて放送するようにしてもよい。アプリケーション制御記述子の詳細については後述する。
【００３４】
セグメントデータシーケンスサーバ２１は、受信装置３０からの要求に応じ、受信装置３０にて番組進行同期情報サービスを実現するために必要なアプリケーション制御データ（後述するセグメントデータシーケンスを含む）を、インタネット２を介して受信装置３０に供給する。
【００３５】
コンテンツサーバ２２は、インタネット２を介する受信装置３０または情報端末４０からの要求に応じ、番組進行同期情報サービスとしてユーザに提示されるコンテンツを供給する。
【００３６】
受信側の受信装置３０は、放送装置２０から放送網１を介して放送されたデジタル放送信号を受信し、受信したデジタル放送信号に基づいて番組やＣＭの映像および音声を後段のモニタ（不図示）に出力する。また、受信装置３０は、デジタル放送信号に含まれるアプリケーション制御記述子に基づき、セグメントデータシーケンスサーバ２１からセグメントデータシーケンスを取得する。さらに、受信装置３０は、保持するレジデントアプリを実行し、レジデントアプリにセグメントデータシーケンスを供給することにより、番組進行同期情報サービスを実現する。
【００３７】
受信装置３０は、所定のインタフェースを介して情報端末４０と接続することができる。受信装置３０と情報端末４０との接続は、無線LAN、Bluetooth（登録商標）、赤外線などを利用した無線接続でもいいし、有線LAN、USB、HDMIなどを介した有線接続でもよい。
【００３８】
なお、番組進行同期情報サービスとしての情報は、番組やＣＭの映像に新情報サービスの映像を合成して表示してもよいし、受信装置３０に接続された情報端末４０の画面に表示させてもよい。
【００３９】
受信装置３０は、単体として構成するようにしてもよいし、例えば、デジタルテレビジョン受像機やビデオレコーダなどに内蔵されているようにしてもよい。
【００４０】
情報端末４０は、受信装置３０からの制御に従い、番組進行同期情報サービスをユーザに提供する。情報端末４０としては、例えば、スマートフォン、携帯電話機、タブレット型ＰＣ、デジタルテレビジョン受像機、ビデオレコーダなどを挙げることができる。
【００４１】
[受信装置３０の構成例について]
図２は、受信装置３０の構成例を示している。受信装置３０は、チューナ６１、多重分離部６２、オーディオデコーダ６３、音声出力部６４、ビデオデコーダ６５、解析部６６、映像出力部６７、制御部６８、メモリ６９、操作部７０、通信I/F７１、アプリエンジン７２、および外部I/F７３から構成される。
【００４２】
チューナ６１は、ユーザによって選局されたサービス（放送チャンネル）に対応するデジタル放送信号を受信して復調し、その結果得られるＴＳ（トランスポートストリーム）を多重分離部６２に出力する。
【００４３】
多重分離部６２は、チューナ６１から入力されるＴＳからオーディオ符号化信号、およびビデオ符号化信号に分離し、オーディオ符号化信号をオーディオデコーダ６３に、ビデオ符号化信号をビデオデコーダ６５および解析部６６に出力する。さらに、多重分離部６２は、アプリケーション制御記述子が含まれ得るSDT、EITを含む制御信号をＴＳから分離して解析部６６に出力する。
【００４４】
オーディオデコーダ６３は、入力されたオーディオ符号化信号をデコードし、その結果得られる音声信号を音声出力部６４に出力する。音声出力部６４は、入力された音声信号を後段（例えば、スピーカ）に出力する。
【００４５】
ビデオデコーダ６５は、入力されたビデオ符号化信号をデコードし、その結果得られる映像信号を解析部６６および映像出力部６７に出力する。
【００４６】
解析部６６は、多重分離部６２から入力されるSDT、EITに含まれているアプリケーション制御記述子を検出して解析し、解析結果に応じて通信I/F７１を制御し、インタネット２を介してセグメントデータシーケンスサーバ２１からアプリケーション制御データを取得する。
【００４７】
図３は、解析部６６に含まれる機能ブロックを示している。解析部６６には、受信監視部８１、アプリケーション制御記述子取得部８２、アプリケーション制御記述子解析部８３、アプリケーション制御データ取得部８４、セグメントデータシーケンス保持部８５、およびセグメントデータ解析部８６が含まれる。
【００４８】
受信監視部８１は、選局操作によるサービス（チャンネル）の変更、受信中のサービスにおける番組の開始、終了を監視する。アプリケーション制御記述子取得部８２は、多重分離部６２から入力されるSDT，EITを保持しており、SDT，EITからアプリケーション制御記述子を取得する。アプリケーション制御記述子解析部８３は、選局されたサービス、または番組に対応するアプリケーション制御記述子を解析する。
【００４９】
アプリケーション制御データ取得部８４は、選局されたサービス、または番組に対応するアプリケーション制御記述子の解析結果に基づき、セグメントデータシーケンスサーバ２１からアプリケーション制御データを取得する。セグメントデータ保持部８８は、取得されたアプリケーション制御データを構成するセグメントデータシーケンスを保持する。セグメントデータ解析部８６は、セグメントデータシーケンスを構成する各セグメントデータを解析する。
【００５０】
図２に戻る。映像出力部６７は、ビデオデコーダ６５から入力された映像信号を後段（例えばディスプレイ）に出力する。また、映像出力部６７は、アプリエンジン７２から入力される番組進行同期情報サービスの映像と、ビデオデコーダ６５から入力された映像信号を合成して後段に出力する。
【００５１】
制御部６８は、メモリ６９に記録されている制御用プログラムを実行することにより受信装置３０の全体を制御する。メモリ６９には、制御部６８によって実行される制御用プログラムが記録されている。この制御用プログラムは、デジタル放送信号、またはインタネット２を介して供給される更新データに基づいて更新することができる。操作部７０は、ユーザからの各種の操作を受け付けて、それに対応する操作信号を制御部６８に通知する。
【００５２】
通信I/F７１は、解析部６６またはアプリエンジン７２からの制御に従い、インタネット２を介して、セグメントデータシーケンスサーバ２１またはコンテンツサーバ２２に接続する。アプリエンジン７２は、制御部６８からの制御に従い、予め保持しているレジデントアプリを実行する。実行されたレジデントアプリは、制御部６８から供給されるセグメントデータシーケンスを用いて、番組進行同期情報サービスを実現する。アプリエンジン７２が保持するレジデントアプリは、デジタル放送信号、またはインタネット２を介して供給される更新データに基づいて更新することができる。
【００５３】
外部I/F７３は、情報端末４０と無線または有線により接続を確立する。
【００５４】
［情報端末４０の構成例について］
図４は、情報端末４０の構成例を示している。ただし、図４には、受信装置４０と連携して番組進行同期情報サービスを実現するために関係する部位のみが示されており、その他部位については適宜省略されている。
【００５５】
情報端末４０は、外部I/F９１、コマンド解析部９２、制御部９３、操作部９４、メモリ９５、アプリエンジン９６、通信I/F９７、および出力部９８から構成される。
【００５６】
外部I/F９１は、受信装置３０の外部I/F７３と無線または有線により接続する。コマンド解析部９２は、外部I/F７３を介して入力される受信装置３０からのコマンドを解析し、その解析結果を制御部９３に出力する。
【００５７】
制御部９３は、メモリ６５に記録されている制御用プログラム（例えば、プラットフォームとしてのアンドロイド、iOSなど）を実行することにより情報端末４０の全体を制御する。また、制御部９３は、コマンド解析部９２から解析結果に基づき、アプリエンジン９６を制御して番組進行同期情報サービスを実現させる。
【００５８】
メモリ９５には、制御部９３によって実行される制御用プログラムが記録されている。操作部９４は、ユーザからの各種の操作を受け付けて、それに対応する操作信号を制御部９３に通知する。
【００５９】
アプリエンジン９６は、制御部９３からの制御に従い、予め保持する情報端末４０用の番組進行同期情報サービスに対応するレジデントアプリを実行し、実行結果として得られる情報の映像信号や音声信号を出力部９８に出力する。通信I/F９７は、アプリエンジン９６からの制御に従い、インタネット２を介してコンテンツサーバ２２に接続する。
【００６０】
出力部９８は、アプリエンジン９６から入力される映像信号に対応する映像を表示し、音声信号に対応する音声を出力する。
【００６１】
[アプリケーション制御記述子について]
次に、デジタル放送信号に含めて放送されるアプリケーション制御記述子について説明する。アプリケーション制御記述子は、デジタル放送信号のSDTまたはEITに含めて放送される。
【００６２】
図５は、アプリケーション制御記述子のシンタックスの一例を示している。
【００６３】
アプリケーション制御記述子には、対応するサービス（放送チャンネル）または番組を示すdescriptor_tag、当該アプリケーション制御記述子のデータ長を示すdescriptor_length、およびアプリケーション制御タイプを示すapplication_control_typeが記述される。
【００６４】
さらに、アプリケーション制御記述子には、アプリケーション制御データの取得先（セグメントデータシーケンスサーバ２１）を特定するためのURLのデータ長を示すapp_control_data_url_length、および当該URLを示すapp_control_data_url_byteが記述される。
【００６５】
[アプリケーション制御データについて]
次に、セグメントデータシーケンスサーバ２１から受信装置３０に供給されるアプリケーション制御データについて説明する。アプリケーション制御データは、受信装置３０にて番組進行同期情報サービスを実現するために必要なデータである。
【００６６】
図６は、アプリケーション制御データの構造を示している。アプリケーション制御データは、同図のＡに示されるように、複数のセグメントデータにより構成されたセグメントデータシーケンスを含む。
【００６７】
各セグメントデータは、セグメント有効期間とコマンドデータ（同図Ｂ）、またはセグメント有効期間とメタデータ（同図Ｃ）から構成される。
【００６８】
セグメント有効期間は、対応する番組の進行時間軸上の２点を示すstart_PTSおよびend_PTSによって示され、番組の進行タイミングがセグメント有効期間内であるときには、当該セグメントデータが有効とされ、番組の進行タイミングがセグメント有効期間に達していない、またはそれを過ぎたときには、当該セグメントデータは無効とされる。
【００６９】
１つのアプリケーション制御データ（セグメントデータシーケンス）には、コマンドデータを含むセグメントデータと、メタデータを含むセグメントデータとを混在させることができる。
【００７０】
図７乃至図１４は、セグメントデータシーケンスのデータ構造の詳細例を示す。データ構造はXMLで表記することを想定しており、@の付く項目は上位要素に付随する属性を示し、それ以外の項目は要素を示す。
【００７１】
図７は、セグメントデータシーケンスのデータ構造を示している。セグメントデータシーケンス(segment_sequence)には、各セグメントデータに対して、その番号を示す@segment_number、セグメント有効期間の開始タイミングのPTS値を示すstart_PTS、セグメント有効期間の終了タイミングのPTS値を示すend_PTSが記述される。なお、上記PTS値としては、ビデオストリームやオーディオストリームに埋め込まれている90KHzクロックのカウンタ値を用いることもできるが、時分秒で示す絶対時刻または番組開始からの相対時刻でもよい。さらに、各セグメントデータには、コマンドデータまたはメタデータの一方が記述される。
【００７２】
番組進行同期情報サービスにおいては、メタデータを含むセグメントデータを利用されるので、セグメントデータのメタデータについて詳述する。
【００７３】
図８は、セグメントデータにおけるメタデータの構造を示している。
【００７４】
@typeは、当該メタデータのタイプ（メタデータタイプ）を示す。メタデータタイプとしては、アプリ用データ(application_data)、テキスト字幕データ(caption)、ビットマップ字幕データ(subtitle)、関連メタデータ(meta)などがある。
【００７５】
@targetは、当該メタデータを処理すべきアプリケーションを示す。ただし、当該メタデータを処理すべきアプリケーションが、受信装置３０に予め保持されているレジデントアプリである場合、@targetは省略される。番組進行同期情報サービスでは、レジデントアプリが利用されるので@targetは省略される。
【００７６】
##defined structureには、メタデータタイプ毎に異なる構造のデータが記述される。番組進行同期情報サービスにおいては、メタデータタイプが関連メタデータのメタデータが利用されるので、次に、関連メタデータ(meta)のデータ構造について説明する。
【００７７】
図９は、関連メタデータ(meta)のデータ構造を示している。関連メタデータは、複数記述することができ、各関連メタデータに対して、必須の@focus_typeと@focus_nameが記述される。@focus_typeは、当該メタデータに関連する画面上のもの（注目対象）のタイプ（フォーカスタイプ）を示す情報であり、人物(human)、物(thing)、場所(location)、または画面全体(general)が指定される。@focus_nameは、注目対象（人物、物体、場所、または画面全体）に対するタイトル名が記述される。
【００７８】
explanationには、注目対象に対する説明が記述される。linkには、注目対象に関連するリンク情報が記述される。keywordには、注目対象に関連するキーワードが記述される。locationには、注目対象に関連する位置情報（緯度、経度）が記述される。pointerには、注目対象の画面上の位置（ポインタ位置）が記述される。なお、explanation乃至pointerについては必須ではなく、任意の数だけ記述することができる。
【００７９】
図１０は、関連メタデータの一項目であるexplanationの要素を示している。explanationには、注目対象に関連する任意の数の説明文テキストを記述できる。@titleには、説明文のタイトル名が記述される。@typeには、説明文のタイプ（説明タイプ）が記述される。説明タイプとしては、definition，biography，background，relation，access，introductionなどが記述される。@logoは必須ではないが、説明文に対応するロゴ画像の取得先を示すURL（例えば、コンテンツサーバ２２など）が記述される。
【００８０】
図１１は、関連メタデータの一項目であるlinkの要素を示している。@titleには、リンク情報のタイトル名が記述される。@typeには、リンク情報のタイプ（リンクタイプ）が記述される。リンクタイプとしては、リンク先がweb pageなどの情報である場合にはinfoが、リンク先が動画、音楽などのコンテンツである場合にはcontentが記述される。@urlには、リンク先のURLが記述される。@logoは必須ではないが、リンク先に対応するロゴ画像の取得先を示すURL（例えば、コンテンツサーバ２２など）が記述される。
【００８１】
図１２は、関連メタデータの一項目であるkeywordの要素を示している。keywordには、任意の数のキーワードの文字列が記述される。
【００８２】
図１３は、関連メタデータの一項目であるlocationの要素を示している。@titleには、位置情報のタイトル名が記述される。@longitudeには、位置情報のうちの経度が記述される。@latitudeには、位置情報のうちの経度が記述される。
【００８３】
図１４は、関連メタデータの一項目であるpointerの要素を示している。@horizontalには、ポインタ水平位置が記述される。@verticalには、ポインタ垂直位置が記述される。
【００８４】
[受信装置３０の動作について]
次に、受信装置３０による番組進行同期情報サービスを実現するための処理について、図１５を参照して説明する。図１５は、受信装置３０の処理を説明するフローチャートである。
【００８５】
当該処理は、受信装置３０が番組を受信している間、繰り返し実行されるものであり、既に受信装置３０はデジタル放送信号に含まれるSDT、EITを取得、保持しているものとする。
【００８６】
ステップＳ１において、解析部６６の受信監視部８１は、受信されているサービス（放送チャンネル）または番組の変更を検出する。アプリケーション制御記述子取得部８２は、変更後のサービスに対応するSDT、または変更後の番組に対応するEITにアプリケーション制御記述子が含まれている場合、それを取得してアプリケーション制御記述子解析部８３に供給する。アプリケーション制御記述子解析部８３は、アプリケーション制御記述子を解析する。アプリケーション制御データ取得部８４は、アプリケーション制御記述子の解析結果に基づき、セグメントデータシーケンスサーバ２１からアプリケーション制御データ（セグメントデータシーケンス）を取得する。取得されたアプリケーション制御データ（セグメントデータシーケンス）は、セグメントデータシーケンス保持部８５に保持される。
【００８７】
ステップＳ２において、セグメントデータ解析部８６は、保持されたセグメントデータシーケンスを構成するセグメントデータのうち、受信中の番組の進行タイミングと合致するものを検出する。具体的には、受信中の番組の進行位置を示すPTSが、セグメントデータのセグメント有効期間内である（start_PTSからend_PTSの範囲にある）ものを抽出する。
【００８８】
ステップＳ３において、セグメントデータ解析部８６は、抽出したセグメントデータにメタデータが含まれている場合には、そのメタデータをアプリエンジン７２に供給する。これに応じ、アプリエンジン７２は、レジデントアプリを起動し、供給されたメタデータをレジデントアプリに供給する。この後、レジデントアプリに依存した処理が実行され、番組進行同期情報サービスが実現される。
【００８９】
ステップＳ３における、レジデントアプリに依存した処理（以下、レジデントアプリ依存処理と称する）の詳細について図１６を参照して説明する。図１６は、レジデントアプリ依存処理を説明するフローチャートである。
【００９０】
ステップＳ１１において、レジデントアプリは、進行中のテレビジョン番組の画面上に、メタデータのフォーカスタイプ（人物(human)、物(thing)、場所(location)、または画面全体(general)）に応じたロゴを表示させる。なお、フォーカスタイプにそれぞれ対応するロゴの画像データは、予めレジデントアプリが保持しているものとする。このロゴ表示により、テレビジョン番組を視聴しているユーザに対して、番組の進行に関連しているメタデータの存在を通知させることができる。
【００９１】
ステップＳ１２において、レジデントアプリは、画面上に表示したフォーカスタイプに応じたログの選択などのユーザからの操作があったか否かを判定する。ユーザからの操作があったと判定した場合、レジデントアプリは、処理をステップＳ１３に進め、ユーザの操作に応じて番組進行同期情報を表示する。この後、処理はステップＳ１２に戻されて、それ以降が繰り返される。
【００９２】
ステップＳ１２において、ユーザからの操作がないと判定した場合、レジデントアプリは、処理をステップＳ１４に進め、受信中の番組の進行タイミングがセグメント有効期間内であるか否かを判定する。セグメント有効期間内であると判定された場合、処理はステップＳ１２に戻されて、それ以降が繰り返される。セグメント有効期間内ではない（受信中の番組の進行タイミングがセグメント有効期間を過ぎた）と判定された場合、注目しているセグメントデータのメタデータを利用したレジデントアプリ依存処理は終了される。
【００９３】
[レジデントアプリ依存処理による具体的な表示例]
次に、レジデントアプリ依存処理による受信装置３０または情報端末４０の画面表示について説明する。
【００９４】
図１７は、ニュース番組に対応付けて番組進行同期情報サービスを実施した場合の受信装置３０から出力される画面映像の表示例を示している。
【００９５】
同図の場合、表示画面１００には、ニュースキャスタが登場しているニュース番組の映像が映し出され、その右上に、フォーカスタイプに応じた３種類のロゴ、すなわち、画面全体に対応したシーン情報ロゴ１０１、フォーカスタイプが人物に対応した人物情報ロゴ１０２、およびフォーカスタイプが場所に対応した場所情報ロゴ１０３が表示されている。なお、フォーカスタイプに応じたロゴの画像データはレジデントアプリが予め保持している。これらのロゴの表示により、ユーザは、３種類のメタデータが表示可能である旨を認識することができる。ユーザがこれらのロゴのいずれかを選択する操作を行うと、対応する情報が表示される。
【００９６】
図１８は、情報番組に対応付けて番組進行同期情報サービスを実施した場合の受信装置３０の画面の表示例を示している。
【００９７】
同図の場合、表示画面１００には、「鬼次郎茶屋」という店を紹介する情報番組の映像が映し出され、その右上に、フォーカスタイプに応じた場所情報ロゴ１０３が表示されている。場所情報ロゴ１０３の表示により、ユーザは、フォーカスタイプが場所であるメタデータが表示可能である旨を認識することができる。ユーザが場所情報ロゴ１０３の選択操作を行うと、画面表示は図１９に示すように変更される。
【００９８】
すなわち、同図に示されるように、情報番組の映像が縮小され、その下方には、関連メタデータの説明情報(explanation)に基づく、「鬼次郎茶屋」、「商品」、「アクセス」をタイトル名とする複数のタブと選択されているタブの説明文１１０が表示される。いまの場合、「鬼次郎茶屋」のタブが選択されているので、「鬼次郎茶屋」の説明文が表示されている。
【００９９】
縮小表示された情報番組の映像の左側上方には、関連メタデータのリンク情報(link)の@titleに基づいて「鬼次郎茶屋のリンク」のハイパーリンク１１１が表示されるとともに、リンク情報の@logoに基づいて取得される鬼次郎茶屋のリンクロゴ画像１１２が表示される。ユーザがハイパーリンク１１１、またはリンクロゴ画像１１２を選択すると、ブラウザが起動されて、リンク情報の@urlが示すリンク先に接続され、「鬼次郎茶屋」のweb pageが表示される。
【０１００】
縮小表示された情報番組の映像の左側下方には、関連メタデータの位置情報(location)が存在することにより、「MAP」ボタン１１３が表示される。ユーザが「MAP」ボタン１１３を選択すると、位置情報の緯度および経度が示す場所の地図が表示される。
【０１０１】
図２０および図２１は、情報番組に対応付けて番組進行同期情報サービスを情報端末４０と連携して実施した場合の受信装置３０および情報端末４０の画面の表示例を示している。
【０１０２】
この場合、受信装置３０の表示画面１００は、番組の映像だけを映しており、フォーカスタイプに応じた場所情報ロゴ１０３は、情報端末４０の表示画面１２０に表示される。このように、フォーカスタイプに応じたロゴを情報端末４０の表示画面１２０に表示させることにより、受信装置３０の表示画面１００を、番組の映像だけに限定することができる。ユーザが表示画面１２０の場所情報ロゴ１０３の選択操作を行うと、画面表示は図２１に示すように変更される。
【０１０３】
すなわち、同図に示されるように、情報端末４０の表示画面１２０に、関連メタデータの説明情報(explanation)に基づく、説明文が表示される。この場合、受信装置３０の表示画面１００に表示している番組の映像を縮小する必要がない。
【０１０４】
なお、図１９乃至図２１に示された番組進行同期情報サービスは、例えば図２２に示すセグメントデータシーケンスにより実現できる。
【０１０５】
図２３は、ドラマ番組に対応付けて番組進行同期情報サービスを実施した場合の受信装置３０から出力される画面映像の遷移を示している。
【０１０６】
同図Ａの場合、表示画面１００には、ドラマに登場する二人の人物が映し出され、その右上に、フォーカスタイプが人物に対応した人物情報ロゴ１０２が表示されている。受信装置３０のユーザが人物情報ロゴ１０２の選択操作を行うと、表示画面１００が同図Ｂまたは同図Ｃに遷移する。
【０１０７】
すなわち、受信装置３０のレジデントアプリが関連メタデータのポインタ位置(pointer)を利用する（できる）仕様である場合、同図Ｂに示されるように、登場人物の位置に合わせて記述されているポインタ位置に従い、注目対象の人物のタイトル名（いまの場合、役名としての正岡子規および秋山真之）が表示される。
【０１０８】
受信装置３０のレジデントアプリが関連メタデータのポインタ位置(pointer)を利用しない（できない）仕様である場合、同図Ｃに示されるように、画面右上に注目対象の人物のタイトル名（いまの場合、役名としての正岡子規および秋山真之）のリスト１３１が表示される。
【０１０９】
同図Ｂまたは同図Ｃにおいて、ユーザが、注目対象の人物のタイトル名（いまの場合、役名としての正岡子規または秋山真之）の選択操作を行うと、同図Ｄに示すように、ドラマの映像が縮小され、選択された注目対象の人物に関する説明文が表示されることになる。
【０１１０】
同図Ｄは、注目対象の人物のタイトル名（役名としての正岡子規）が選択された場合に対応する。すなわち、ドラマ番組の映像が縮小され、その下方には、関連メタデータの説明情報(explanation)に基づく、「正岡子規」、「香山照之（正岡子規を演じる役者名）」、「子規の俳句集」をタイトル名とする複数のタブと選択されているタブの説明文１４１が表示される。
【０１１１】
縮小表示されたドラマ番組の映像の左側上方には、関連メタデータのリンク情報(link)の@titleに基づいて「正岡子規研究」のハイパーリンク１４２と、「香山照之の部屋」のハイパーリンク１４３が表示される。ユーザがハイパーリンク１４２または１４３を選択すると、ブラウザが起動されて、リンク情報の@urlが示すリンク先に接続され、「正岡子規研究」または「香山照之の部屋」のweb pageが表示される。
【０１１２】
なお、図２３に示された番組進行同期情報サービスは、例えば図２４に示すセグメントデータシーケンスにより実現できる。
【０１１３】
上述したように、セグメントデータシーケンスを利用した番組進行同期情報サービスにより、例えば、経済ニュースで出てきた用語の解説文を表示したり、事件の背景や経緯の解説文を表示したり、関連する過去のニュースや関連する情報のリンク情報を提供したりすることができる。また例えば、情報番組や旅番組で紹介した店や商品のより詳細な説明文や地図上の位置を表示したり、紹介した商品を購入できる通信販売用のサイトに誘導したりすることができる。
【０１１４】
さらに例えば、ドラマ番組やバラエティ番組の出演者の照会文や、ドラマの登場人物の相関関係図を表示したり、シーンについての解説文を表示したりすることができる。また、リンク先にドラマ番組の補間シナリオ、ＮＧシーンなどのコンテンツを用意してリンクさせることができる。
【０１１５】
また、画面の表示例は省略するが、例えば番組の映像に重畳して人、動物、ロボット、架空動物などのキャラクタを表示させ、当該キャラクタの発話に、関連メタデータのキーワードを利用したりしてもよい。
【０１１６】
ただし、図１７乃至図２１および図２３は、画面表示の一例であり、セグメントデータシーケンスの利用方法はあくまでも受信装置３０や情報端末４０のレジデントアプリに依存している。つまり放送側としては、番組進行同期情報サービスに利用できるセグメントデータシーケンスを受信側に提供しているだけであって、その表示方法などを制限するものではない。
【０１１７】
放送側は、例えば従来から行っている番組の同期した字幕情報の作成と同様の作業により、テレビジョン番組の進行に同期した各種の情報を、関連メタデータとしてセグメントデータシーケンスに集約することができる。
【０１１８】
ところで、上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０１１９】
図２５は、上述した一連の処理をプログラムにより実行するコンピュータのハードウェアの構成例を示すブロック図である。
【０１２０】
このコンピュータ２００において、CPU（Central Processing Unit）２０１，ROM（Read Only Memory）２０２，RAM（Random Access Memory）２０３は、バス２０４により相互に接続されている。
【０１２１】
バス２０４には、さらに、入出力インタフェース２０５が接続されている。入出力インタフェース２０５には、キーボード、マウス、マイクロホンなどよりなる入力部２０６、ディスプレイ、スピーカなどよりなる出力部２０７、ハードディスクや不揮発性のメモリなどよりなる記憶部２０８、ネットワークインタフェースなどよりなる通信部２０９、磁気ディスク、光ディスク、光磁気ディスク、或いは半導体メモリなどのリムーバブルメディア２１１を駆動するドライブ２１０が接続されている。
【０１２２】
以上のように構成されるコンピュータでは、CPU２０１が、例えば、記憶部２０８に記憶されているプログラムを、入出力インタフェース２０５及びバス２０４を介して、RAM２０３にロードして実行することにより、上述した一連の処理が行われる。
【０１２３】
なお、コンピュータが実行するプログラムは、本明細書で説明する順序に沿って時系列に処理が行われるプログラムであってもよいし、並列に、あるいは呼び出しが行われたとき等の必要なタイミングで処理が行われるプログラムであってもよい。
【０１２４】
また、プログラムは、１台のコンピュータにより処理されるものであってもよいし、複数のコンピュータによって分散処理されるものであってもよい。さらに、プログラムは、遠方のコンピュータに転送されて実行されるものであってもよい。
【０１２５】
また、本明細書において、システムとは、複数の装置により構成される装置全体を表すものである。
【０１２６】
なお、本開示の実施の形態は、上述した実施の形態に限定されるものではなく、本開示の要旨を逸脱しない範囲において種々の変更が可能である。
【符号の説明】
【０１２７】
１  放送網，  ２  インタネット，  １０  放送システム，  ２０  放送装置，  ２１  セグメントデータシーケンスサーバ，  ２２  コンテンツサーバ，  ３０  受信装置，  ４０  情報端末，  ６１  チューナ，  ６２  多重分離部，  ６３  オーディオデコーダ，  ６４  音声出力部，  ６５  ビデオデコーダ，  ６６  解析部，  ６７  映像出力部，  ６８  制御部，  ６９  メモリ，  ７０  操作部，    ７１  通信I/F，  ７２  アプリエンジン，  ７３  外部I/F，  ８１  受信監視部，  ８２  アプリケーション制御記述子取得部，  ８３  アプリケーション記述子解析部，  ８４  アプリケーション制御データ取得部，  ８５  セグメントデータシーケンス保持部，  ８６  セグメントデータ解析部，１００  コンピュータ，  １０１  CPU
【図１】
2012144379.tif 000003
【図２】
2012144379.tif 000004
【図３】
2012144379.tif 000005
【図４】
2012144379.tif 000006
【図５】
2012144379.tif 000007
【図６】
2012144379.tif 000008
【図７】
2012144379.tif 000009
【図８】
2012144379.tif 000010
【図９】
2012144379.tif 000011
【図１０】
2012144379.tif 000012
【図１１】
2012144379.tif 000013
【図１２】
2012144379.tif 000014
【図１３】
2012144379.tif 000015
【図１４】
2012144379.tif 000016
【図１５】
2012144379.tif 000017
【図１６】
2012144379.tif 000018
【図１７】
2012144379.tif 000019
【図１８】
2012144379.tif 000020
【図１９】
2012144379.tif 000021
【図２０】
2012144379.tif 000022
【図２１】
2012144379.tif 000023
【図２２】
2012144379.tif 000024
【図２３】
2012144379.tif 000025
【図２４】
2012144379.tif 000026
【図２５】
2012144379.tif 000027
【国際調査報告】
2012144379.tif 000028
2012144379.tif 000029
2012144379.tif 000030
2012144379.tif 000031